(57)【特許請求の範囲】
【請求項１】
頂部に注出口(8)を有し、壜体口筒(30)に外嵌する組付き筒(2)の略下半分を、前記壜体口筒(30)にアンダーカット結合する複数の係合片(3)に分割形成すると共に、該組付き筒(2)の外方に、複数の破断可能な連結片(4)により、下端部を前記係合片(3)の下端部と連結して外リング(13)を周設して、前記組付き筒(2)との間に嵌入部(14)を形成し、前記外リング(13)に、把手片(15)により該外リング(13)を縦に破断可能な肉薄の弱化線(17)を設け、かつ前記組付き筒(2)の後面上端部に係止凸部(18)を突設した、比較的軟質な合成樹脂製のキャップ本体(1)と、前記嵌入部(14)に不動に嵌入され、内周面後部に、前記係止凸部(18)を上下方向にスライド可能に収容し下面を係止面(23)としたスライド凹部(22)を設けた締付けリング(21)の後部上端に、前記注出口(8)を開閉する上蓋(25)をヒンジ(24)で連結した、比較的硬質な合成樹脂製の蓋体(20)と、から成る注出キャップ。
【請求項２】
キャップ本体(1)を低密度ポリエチレン樹脂製とし、蓋体(20)をポリプロピレン樹脂製とした請求項１記載の注出キャップ。
【発明の詳細な説明】
【０００１】
【発明の属する技術分野】
本発明は、壜体に組み付けられ、廃棄時においてその壜体と容易に分別可能とした合成樹脂製注出キャップに関するものである。
【０００２】
【従来の技術】
この種の注出キャップの従来例として、実用新案登録第２５９６６９９号公報記載のものが知られている。
【０００３】
この公報記載の注出キャップは、壜体口筒の外周に嵌着するキャップ本体の組付き筒に、ヒンジの一側端近傍の上端から下端に亘って縦方向の弱化線を設けると共に、キャップ本体の頂板に、弱化線の上部に連続した周方向の弱化線を設けて構成され、廃棄時には、ヒンジを介して一体に連結されている蓋体を引張ることにより、両弱化線を破断してキャップ全体を壜体口筒から取り外し、分別するようになっている。
【０００４】
また、一般に合成樹脂製注出キャップは、壜体に対する組付き強度やヒンジ部分の強度、耐久性を要求されることから、ポリプロピレン等の比較的硬質な合成樹脂で一体成形されている。
【０００５】
【発明が解決しようとする課題】
しかしながら、上記した従来技術のように、キャップ本体に分別破断用の弱化線を設けた注出キャップを、ポリプロピレン等の硬質な合成樹脂で一体成形した場合、キャップに必要とされる強度、耐久性は充足される反面、弱化線は破断され難いため、分別廃棄時における弱化線の破断に大きな操作力を要し、この分別作業を迅速、円滑に行なうことができない、と云う問題があった。
【０００６】
そこで、本発明は、上記した従来技術における問題点を解消すべく創案されたもので、注出キャップに要求される強度、耐久性を低下させることなく、分別廃棄時における弱化線の破断を小さい操作力で容易に行なえるようにすることを技術的課題とし、もって注出キャップの分別を容易にかつ迅速、円滑に達成できるようにすることを目的とする。
【０００７】
【課題を解決するための手段】
上記技術的課題を解決する本発明の内、請求項１記載の発明の手段は、
頂部に注出口を有し、壜体口筒に外嵌する組付き筒の略下半分を、壜体口筒にアンダーカット結合する複数の係合片に分割形成すると共に、この組付き筒の外方に、複数の破断可能な連結片により、下端部を係合片の下端部と連結して外リングを周設して、組付き筒との間に嵌入部を形成し、外リングに、把手片によりこの外リングを縦に破断可能な肉薄の弱化線を設け、かつ組付き筒の後面上端部に係止凸部を突設した、比較的軟質な合成樹脂製のキャップ本体を有すること、
キャップ本体の嵌入部に不動に嵌入され、内周面後部に、キャップ本体の係止凸部を上下方向にスライド可能に収容し下面を係止面としたスライド凹部を設けた締付けリングの後部上端に、キャップ本体の注出口を開閉する上蓋をヒンジで連結した、比較的硬質な合成樹脂製の蓋体を有すること、
にある。
【０００８】
注出キャップの分別取外しは、まずキャップ本体の外リングの把手片を引っ張って弱化線と各種連結片を破断し、これにより外リングを組付き筒から分離もしくは略分離させ、次いで蓋体の上蓋を引き上げることにより、締付けリングの後部を引き上げてスライド凹部下端の係止面をキャップ本体の係止凸部に当接係止させ（図３参照）、なおも上蓋を引き上げてキャップ本体の後部を引き上げると、組付き筒下部の係合片が外側へ容易に弾性変形して、壜体口筒の係合突条を乗り越えるため、蓋体とキャップ本体とが一体となって、壜体口筒から容易に離脱する。
【０００９】
請求項２記載の発明は、請求項１記載の発明の構成に、キャップ本体を低密度ポリエチレン樹脂製とし、蓋体をポリプロピレン樹脂製とした、ことを加えたものである。
【００１０】
この請求項2記載の発明にあっては、キャップ本体を低密度ポリエチレン樹脂製としたので、安定して高いシール性を得ることができ、また蓋体をポリプロポレン樹脂製としたので、強いヒンジ機能部を得ることができると共に、キャップ本体の組付き筒に対する締付けリングの外装により、熱充填用耐熱キャップとして有効に機能することになる。
【００１１】
【発明の実施の形態】
以下、本発明の一実施例を、図面を参照しながら説明する。
注出キャップは、壜体口筒３０に組付くキャップ本体１と、このキャップ本体１に組付く別体構造の蓋体２０とから構成されている。
【００１２】
低密度ポリエチレン樹脂等の比較的軟質な合成樹脂材料で一体成形されるキャップ本体１は、壜体口筒３０の外周に嵌着する組付き筒２の上端内方に頂板５を連設し、この頂板５の下面内側に、壜体口筒３０の内周面に密接するシール筒６を垂下設すると共に、頂板５の上面内側には注出口８を形成する注出筒片７が立設されている。
【００１３】
キャップ本体１の注出口８の底面は、破断溝１０の内側部分を除去壁部１１とした口壁９で閉塞されており、この除去壁部１１は、その上面に一体設されたプルリング１２を使用時に引き上げることにより、破断溝１０部分で破断されて除去される。
【００１４】
キャップ本体１の組付き筒２の略下半分は、内周面にアンダーカット結合用の係合突条を設けた複数の係合片３に、割溝を介して分割形成されており、壜体口筒３０にはこれらの係合片３によりアンダーカット結合する（図２参照）。
【００１５】
また、この組付き筒２の外方には、複数の破断可能な連結片４により、下端部を各係合片３の下端部と連結されて外リング１３が周設され、組付き筒２との間に嵌入部１４を形成している。
【００１６】
この外リング１３の一部には、コの字状のスリット１６を切欠くことによって把手部１５を残存形成し、またスリット１６の上側部分の後端から外リング１３の上端まで、およびスリット１６の下側部分の後端から外リング１３の下端までに亘って、それぞれ肉薄溝状の弱化線１７を傾斜状に形成している（図１参照）。
【００１７】
なお、組付き筒２の後面上端部には、ストッパとして作用する係止凸部１８が突設されている。
【００１８】
ポリプロピレン樹脂等の比較的硬質な合成樹脂で一体成形される蓋体２０は、アンダーカット結合によりキャップ本体１の嵌入部１４に不動に嵌入して、組付き筒２を壜体口筒３０に強固に組付ける締付けリング２１の後部上端に、キャップ本体１の注出口８を開閉する上蓋２５を、ヒンジ２４で連結して構成されている。
【００１９】
蓋体２０の締付けリング２１の嵌入部１４に対する不動な嵌入組付きは、キャップ本体１の外リング１３の内周面上端部と、締付けリング２１の外周面上端部とのアンダーカット結合により達成されており、それゆえ外リング１３を組付き筒２から分離もしくは略分離させると、締付けリング２１のキャップ本体１に対するアンダーカット結合は解除され、締付けリング２１はキャップ本体１に対して変位可能となる。
【００２０】
上蓋２５の頂壁内面には、上蓋２５の閉状態において、キャップ本体１の注出筒片７の内周面に密接して、注出口８を密閉する栓筒片２６が突設されている。
【００２１】
また、締付けリング２１の内周面後部には、組付き筒２の係止凸部１８が上下方向にスライド可能に収容され、下面を係止面２３としたスライド凹部２２が形成されている。
【００２２】
【発明の効果】
本発明は、上記した構成となっているので、以下に示す効果を奏する。
請求項１記載の発明にあっては、略下半分を複数の係合片に分割形成した組付き筒に外嵌する締付けリングとヒンジとを有する蓋体を、比較的硬質な合成樹脂製としたので、キャップ本体の壜体口筒への組付きを強固にすることができると共に、ヒンジの強度、耐久性も良好に保持することができ、また、壜体口筒に直接組付くキャップ本体を、比較的軟質な合成樹脂製としたので、壜体に対するシール性も良好に保持される。
【００２３】
また、分別取外し時において破断分離される外リングを有するキャップ本体を、比較的軟質な合成樹脂製としたので、弱化線および連結片の破断を小さい操作力で容易に行なうことができると共に、組付き筒の下部分を弾性変形容易な係合片に分割形成したので、組付き筒を壜体口筒から容易に離脱させることができ、もって注出キャップの分別取外しを容易にかつ迅速、円滑に達成することができる。
【００２４】
請求項２記載の発明にあっては、優れたシール性と、ヒンジキャップとしての高い強度とを効果的に発揮し、また耐熱性に優れたポリプロピレン樹脂製の蓋体の締付けリングが、キャップ本体の組付き筒に外嵌するので、内容物の熱充填に際して、キャップ本体の組付き筒の熱変形に発生を強力に阻止し、これにより内容物の熱充填に対して有効に機能する。
【図面の簡単な説明】
【図１】本発明の一実施例を示す、分解斜視図。
【図２】図１に示した実施例の、組付き状態を示す縦断側面図。
【図３】図１に示した実施例の、キャップ取外し状態を示す縦断側面図。
【符号の説明】
１  ；  キャップ本体
２  ；  組付き筒
３  ；  係合片
４  ；  連結片
５  ；  頂板
６  ；  シール筒
７  ；  注出筒片
８  ；  注出口
９  ；  口壁
１０；  破断溝
１１；  除去壁部
１２；  プルリング
１３；  外リング
１４；  嵌入部
１５；  把手部
１６；  スリット
１７；  弱化線
１８；  係止凸部
２０；  蓋体
２１；  締付けリング
２２；  スライド凹部
２３；  係止面
２４；  ヒンジ
２５；  上蓋
２６；  栓筒片
３０；  壜体口筒
【図１】
0004379566.tif 000002
【図２】
0004379566.tif 000003
【図３】
0004379566.tif 000004